(57)【要約】      （修正有）【課題】  収納袋を使用時に、受け口部分を完全に被覆することにより、処理するのは収納袋のみで安価．衛生的であり、衣服に挟む部分や伸縮性があるので体に密着し片手でも容易に使用できる。【解決手段】  全体が筒形である筒形本体１は衣服に挟む部分７．８と長さが伸縮し位置の定着又は移動が可能な制御具９．１０を有し、耐水性収納袋６を受け口１５で折り返して被覆して、固定具１２で使用することを特徴とする小型携帯トイレ２。脱着する支柱２１と蛇腹１７でコンパクトに持ち運べ、非常用にポリ袋でも使用できる切り込み２１．２７があるのを特徴とする大型携帯トイレ１８。【選択図】図１
2006239437.tif 000002
【特許請求の範囲】
【請求項１】
全体が筒形で、縁より径の大きい外周側面に環状凹溝があり、伸縮する移動部分と，連結して形状の安定した固定部分と，凹溝に合わさる環状凸形の弾力性，伸縮性がある固定具を有した筒形本体に，筒形本体の片方の縁の内側より貫通して反対側の縁を被覆するよう外側に折り返して開き，環状凹溝，凸形の間を挟み込む様に耐水性収納袋を組み合せた携帯トイレ。
【請求項２】
伸縮する移動部分が蛇腹状になった請求項１の携帯トイレ。
【請求項３】
衣服に位置を安定させる挟む部分を有する請求項１．２の携帯トイレ。
【請求項４】
移動部分と固定部分との伸縮位置を定着又は移動を可能にした制御具を有する請求項３の携帯トイレ。
【請求項５】
筒形本体に脱着可能な棒状の支柱を有し，筒形本体と耐水性収納袋を支柱に定着させる伸縮．磁力性のある安定具を有する請求項１．２の携帯トイレ。
【請求項６】
筒形本体の縁の片方を、閉塞又は網状にした請求項５の携帯トイレ。
【請求項７】
筒形本体の縁を人の臀部が乗る幅に拡張した便座のある請求項６の携帯トイレ。
【請求項８】
便座の外周に切り込みを入れた請求項７の携帯トイレ。
【発明の詳細な説明】
【技術分野】
【０００１】  本発明は、ドライブ渋滞時や災害時又は要介護者．障害者が、持ち運びが容易で衛生的に使用できる携帯トイレに関する。
【背景技術】
【０００２】  従来の小型携帯トイレの場合は、輪状の枠に枠を重ねたものに袋をつけた携帯トイレに重ねて、収納袋をいれるものや、受け口部分に収納袋を１体化して成形したものがある。大型携帯トイレとしては折り畳み式の椅子や卓上机の中央部分に穴を開けたものである。【０００３】  携帯トイレの機能は、持ち運びが容易で、衛生的に使用できることである。一般的に期待されているのが、使用時が短時間で使用可能で安価かつ使用後の後始末が衛生的で容易なことであるが、これらの携帯トイレは持ち運びは容易であるが、処理が安価で衛生的な機能を有する訳ではない。【０００４】尚、本願発明に関連する公知技術として、次の特許文献１〜４及び実用新案文献１を挙げることができる。【０００５】
【特許文献１】  特開２００２−０７８６４２号公報
【特許文献２】  特開２００３−２６５３５６号公報
【特許文献３】  特開２００４−２４２９７５公報
【特許文献４】  特開平１０−１９２１９０号公報
【実用新案文献１】
実用新案出願２００２−７８６３号公報
【発明の開示】
【発明が解決しようとする課題】
【０００６】  上述の如く、従来技術に係る小型携帯トイレの場合は、受け口と収納袋を１体化した使い捨てか、袋に収納袋を重ねて使用するので取り出す時摩擦が生じて容易に使用できない。又、使い捨て以外は受け口部分が露出しているので、使用時に汚れる場合があり洗浄を必要とする。両方共に、使用中は排尿の重量がかかるので手でしっかりと固定しなければならない。大型携帯トイレの場合、便座に相当する部分が露出しているので衛生的な使用が難しい。【０００７】本発明は、このような点に鑑みて成されたものであり、その目的は収納袋を使用時に受け口部分を完全に被覆することにより、処理するのは収納袋のみで、安価及び衛生的で容易に使用できる。
【課題を解決するための手段】
【０００８】上述の目的を達成する本発明の携帯トイレは全体が筒形になった移動部分と固定部分及び固定具とでなった筒形本体と耐水性収納袋を筒形本体の縁を被覆するように組み合わせた携帯トイレであって、小型の場合は移動部分が伸縮して制御具及び挟む部分で人との密着度を増し使用時に安定させているので片手でも操作ができ、要介護者．障害者でも容易に使用できる。
又、大型化した場合筒形本体に棒状の支柱が脱着できる差込部分を有し、使用前は棒状の支柱を取り外し、蛇腹状の筒形本体部分は圧縮した状態にして持ち運びが容易で衛生的に安価で使用できることを特徴とする。【０００９】１例として、完全に耐水性収納袋を組み合わせた携帯トイレを使用時に、ズボンのチャックを開き切った状態の股の上の所に、挟む部分で安定させ、移動部分を伸縮して体に密着させ位置を制御具で決めて使用する。
【発明の効果】
【００１０】以上、説明したように本発明によれば、小型の筒形本体に耐水性収納袋を受け口部分を被覆して挟む部分で衣服に安定させ、制御具で長さを体に密着する様に使用するので片手で操作ができドライブの渋滞時や災害時、又は障害者．要介護者の緊急用携帯トイレとして有効である。大型の筒形本体に脱着できる支柱を取り付け、縁を拡幅すると便座となり、女子用．排便用として災害時に仮設トイレ等援助体制が整備されていない時、水がなくても衛生的に使用するのに極めて有効である。
【発明を実施するための最良の形態】
【００１１】以下、本発明の実施の形態を図面に基ずき詳細に説明する。【００１２】図１〜図７は本発明の実施の形態に係り、図１はその小型携帯トイレの縦中央部の断面図図２．３は組み立て前の小型携帯トイレ、図４は小型筒形本体の蛇腹状外観側面図、図５は小型携帯トイレの使用前の正面図、図６は大型筒形本体の組み立て前の斜視図、図７は大型携帯トイレの底面図である。【００１３】図１．２．３に示すように小型携帯トイレ２は全体が筒形で伸縮する移動部分３と固定部分４と固定具５とでなる筒形本体１に耐水性収納袋６を組み合わせてなり、挟む部分７．８と制御具９．１０を有する。【００１４】小型携帯トイレ２は耐水性収納袋６を移動部分３又は固定部分４から耐水性収納袋６の開口部１６が移動部分の縁１４の受け口１５を折り返して被覆し、移動部分３の環状凹溝１２と固定具５で挟み込む様にして使用前の状態となる。【００１５】小型携帯トイレ２を男性が使用する時は、挟む部分７で図５の様にズボンのチャックを開けた状態の股の上の所に挟み込み，又女性が使用する時は挟む部分８で下着等に挟み込んで使用前の状態となる。【００１６】小型携帯トイレ２は使用時に制御具９を制御具１０の鋸状の山に合わせて長さを調節して使用するか、図４の蛇腹状１７の伸縮で体に密着させて使用する。【００１７】小型携帯トイレ２の格納部１１は制御具１０が移動する長さによる露出部分を収納する役目である。【００１８】筒形本体１の固定具５の取っ手１３は脱着を容易にする役目である。【００１９】図６は筒形本体１を大型化した大型携帯トイレ１８の固定部４の縁１４を人の臀部が乗る位に拡幅して、固定部４の外周側面に棒状の支柱２１の差込部分２０を設け、筒形本体１と支柱２１とを安定させる伸縮性のある安定具２２を表わした図面である。尚、外周の切り込みは非常用としてスーパーストア等のポリ袋の取っ手を切り込み部分２６に挟み込み中央の結び目用の出っ張り部分を切り込み部分２７に挟んで使用する。【００２０】図７は大型携帯トイレ１８の底面から見た網状の蓋２５と耐水性収納袋６に噛み合わせた磁力性安定具２３と、移動部分３に内蔵した磁力性安定具２４である、共に脱着出来る様にする。
【実施例】
【００２１】小型携帯トイレ２は、全体の筒形本体１を湾曲させて密着度をたかめる。【００２２】筒形本体１の形状は、角形、瓢箪形、楕円形、丸形、三角形等形状はどの様な形でもよい。【００２３】筒形本体１の固定具５の材質として硬質ゴム、軟質合成樹脂、スプリング状の金属又は樹脂等，噛み合わせに適した物であればよい。【００２４】大型トイレ１８の棒状の支柱２１・差込部２２は丸形・角形・三角形・楕円形等どのような形状でもよい。【００２５】大型携帯トイレ１８の棒状の支柱２１を市販の金属又は合成樹脂のパイプにした場合、接合部品を使用して連結したり、どのような組み合わせでも１体化できる。
【産業上の利用の可能性】
【００２６】本発明はドライブ渋滞時、災害緊急時、要介護者及び障害者の常用として、製造・販売する産業分野で利用することができる。
【００２７】耐水性収納袋６は合成樹脂・油紙・ゴム等でもよくチャック付き・紐つきにしたり又吸水剤・脱臭剤を入れるとより衛生的に使用できる。
【図面の簡単な説明】
【００２８】
【図１】本発明の第１の実施の形態に係る小型携帯トイレの縦中央部の断面図である。
【図２】図１の小型携帯トイレの筒形本体の外観斜視図である。
【図３】耐水性収納袋の外観斜視図である。
【図４】小型携帯トイレの筒形本体を蛇腹状にした外観側面図である。
【図５】小型携帯トイレを男性がズボン着用時に使用可能な状態の正面図である。
【図６】大型携帯トイレの棒状支柱を組み合わせ前の外観斜視図である。
【図７】
【符号の説明】
【００２９】  １  筒形本体
２  小型携帯トイレ
３  移動部分
４  固定部分
５  固定具
６  耐水性収納袋
７  衣服に挟む部分（男性用）
８  衣服に挟む部分（女性用）
９  固定部分の制御具
１０  移動部分の制御具
１１  制御具１０の格納部
１２  環状凹溝
１３  固定具の取っ手
１４  筒形本体の縁
１５  受け口
１６  耐水性収納袋の開口部
１７  蛇腹
１８  大型携帯トイレ
１９  大型携帯トイレの固定部の縁を拡張した便座
２０  大型携帯トイレの支柱差込部
２１  支柱
２２  筒形本体と支柱との伸縮性のある安定具
２３  筒形本体に内蔵した磁力性安定具
２４  耐水性収納袋に噛み合わせた磁力性安定具
２５  網状の底蓋
２６  便座の切り込み（ポリ袋の取っ手用）
２７  便座の切り込み（ポリ袋の出っ張り用）
【図１】
2006239437.tif 000003
【図２】
2006239437.tif 000004
【図３】
2006239437.tif 000005
【図４】
2006239437.tif 000006
【図５】
2006239437.tif 000007
【図６】
2006239437.tif 000008
【図７】
2006239437.tif 000009